(57)【要約】【課題】例えば癖毛をストレートにする矯正の場合、髪に薬液を塗布して軟化させるだけなので、軟化後の物理的な処置が髪にとって大変負担がかかるものになり、髪の損傷を激しくすると共にストレートの持続性を短命にしている。【解決手段】パーマがロッドを巻いて軟化させる事でウェーブをつけるように、癖毛も軟化させる時に、繊維状の物で出来たすだれ状のものを髪になじませて軟化させる事で薬液を作用させている間に癖を矯正する事できる。それにより、薬液を除去した後の物理的な処置を軽減する事が可能になり髪を守ると共に、持続性の優れているストレートを可能にできる。【選択図】図１
2009022718.tif 000002
【特許請求の範囲】
【請求項１】
ヘアーの矯正またはウェーブをつける道具であって、前記ヘアーの矯正またはウェーブをつける道具は、繊維状の物を束状にして構成されていて、髪をなじませて使用する事を特徴とするヘアーの矯正またはウェーブをつける道具。
【請求項２】
すだれ状に繊維状の物を束状にしたもので、毛髪に容易になじませる事が出来る事を特徴とする請求項１のヘアーの矯正またはウェーブをつける道具。
【請求項３】
毛髪を浮かせるような機能を具備した請求項１又は請求項２のヘアーの矯正またはウェーブをつける道具。
【請求項４】
請求項１または請求項２のヘアーの矯正またはウェーブをつける道具は、連結装置を具備しており、連結部を境にして積重できるように構成されている事を特徴とする請求項１または請求項２のヘアーの矯正またはウェーブをつける道具。
【発明の詳細な説明】
【技術分野】
【０００１】本発明はヘアーの矯正またはウェーブをつける道具に関する。
【背景技術】
【０００２】従来は直毛にウェーブやカールをつけるためにロッド（丸い棒のような物）に髪を巻きつけたり、ウェーブ状のパネル（板）に髪を貼り付ける技法が主にもちいられた。【０００３】ウェーブ状のパネル（板）に髪を貼り付ける技法は、髪にパーマ液を付けて軟化が進行している状態で行うので髪の負担が大きくなり、髪の損傷がひどくなるだけではなく、ウェーブの持続性も弱いものであった。【０００４】癖毛をまっすぐにする技法においても、平らなパネル（板）に癖毛をまっすぐな状態で貼り付けてストレートにする技法があったが、ウェーブの時と同様に薬液で柔らかくなった髪を貼り付けるので髪の傷みがひどくなり、技法としては禁じられて現在に至っている。【０００５】次に登場した薬液を作用させてから洗い流した後に、髪にアイロンやハンド・ドライヤーで熱を与えてストレートにする技法が一般的に成ったが、癖毛にそのままの状態で薬液を付けて軟化させ、一定時間後薬液を流してから乾かして後に高温（１８０度前後）のアイロンでプレス等をしてストレートにしたり、髪をストレートに固定するようにハンド・ドライヤーをかける等の技法なので、施術後は髪が焼けてストレートになるどころかジリジリになったり、髪が切れてしまう事故が発生した。
またその様な事故にまでは至らなくても、髪を構成するタンパク質が熱変性を起こしてしまい、タンパク質の性質が変化してしまうので一般的なパーマやカラーが出来なくなるという現象が起きてしまった。
【発明の開示】
【発明が解決しようとする課題】
【０００６】髪そのものは熱や薬液にそんなに強い物ではないのに、癖毛をまっすぐにする時にはどうして髪の性質を変えてしまうほどの物理的な手段が必要なのか考えていくうちに、例えばパーマだったらロッド（丸い棒のような物）に髪を巻きつけた状態で軟化させて直毛をウェーブ毛に変えるのに、矯正の場合は髪にただ薬液をつけて放置するだけで、薬液を作用させる時にストレートにしようとする試みが何も行われていない事に気が付いた。【０００７】髪に薬液を塗布して一定時間放置すると髪は膨潤する際に接触している物の形状に沿ってその形状を変化させるという性質を良く知るために、色々な物を髪に接触させて薬液を作用させたところ、繊維状の物を束状にして髪に沿わせた時、または繊維状の物を束状にして髪を包んでなじませた時に、沿わせた物の形状に一番髪の形状が似るという事を発見するに至った。【０００８】そこで、癖毛を繊維状の物を束状にしたものになじませて軟化させる事で、パーマの時と同じように軟化させながら癖毛を矯正する事が出来るようになった。
それにより従来の癖毛のままで、ただ軟化されただけの状態の髪に必要な熱やプレスなどの物理的要因は、はるかに軽減され髪の損傷を防ぐ事が出来るようになった。【０００９】また、軟化状態の髪をストレートやウェーブ状にするためにパネルに貼る際にはどうしても必要以上に負荷がかかってしまい髪の損傷がひどくなるだけではなく、ストレートやウェーブの持続性も弱いものであった。
ストレートの形状をした毛束状の物をすだれ状にした物であればなじませる時の負荷は、はるかに軽減され髪の損傷をおさえる事が出来る。
またウェーブの場合もウェーブの形状をした毛束状の物をすだれ状にした物でなじませる際に補助器具は必要ではあるが、パネル（板）状の物に貼り付けよりは負荷をはるかに軽減して髪の損傷をおさえる事が出来るので、より健全な髪を守りながら髪の形状を持続性の強いストレートやウェーブにする事ができる。
【課題を解決するための手段】
【００１０】パーマや矯正の従来の課題においては、ストレートまたはウェーブの繊維状の物で毛束状または、すだれ状の物からなるヘアーの矯正またはウェーブつける道具を髪になじませた状態で薬液を使用する事で解決される。
【発明の効果】
【００１１】毛髪は立体であり、薬液によって軟化・膨潤するので、パネルなどの平面状な物に沿わせて膨潤させると平面状のものに触れている髪の面と触れていない髪の面では膨潤の仕方に違いが生じるのに対し繊維状の物が束状になった物に沿わせると平面状の物のように髪の膨潤を妨げないのでより、沿わせた毛束状の物に沿った形状にする事が出来る。
また平面状の物に貼り付ける際には、髪にかなりの負荷がかかり髪の損傷の原因になったが、毛束状の物の場合は沿わせる際の髪の負荷もほとんど無く髪を損傷から守る事が出来る。
【発明を実施するための最良の形態】
【００１２】図２は毛髪に似た直線状で繊維状の物がすだれ状の毛束状に成った物であり、その繊維状の物は例えばナイロンの糸のように柔らかく髪の形状になじみやすい物で出来ている物と、例えばグラスファイバーのように硬質の物で髪の形状を変化させるのに適した物で出来ている物がある。【００１３】図３は毛髪に似たウェーブ状の繊維状の物がすだれ状の毛束状に成った物であり、その繊維状の物は例えばグラスファイバーのように硬質の物で髪の形状を変化させるのに適した物で出来ている。【００１４】図２・図３には脱着装置が設けられており、この脱着装置を境に折りたたむ事も出来るように構成されている。
本発明のヘアーの矯正またはウェーブをつける道具は単体で髪になじませる事も、２枚で髪を挟む事も可能になっている。【００１５】さて上記のように構成されているヘアーの矯正またはウェーブをつける道具はパーマやセットに用いられ、毛束状なので髪に負担なく装着する事が出来、また髪に薬液が作用する際にもパネル状のものに比べて髪への負担も少なく、より望む形状に沿って軟化膨潤させる事を容易にする事で髪を損傷から守りながらより望む形状にする事が出来る。
また、セットにおいてもより望む形状にセットする事が出来る。
【実施例】
【００１６】図１は本発明からなるヘアーの矯正またはウェーブをつける道具の実施形態の図である。【００１７】図２は毛髪に似た直線状で繊維状の物がすだれ状の毛束状に成った物であり、その繊維状の物は例えばナイロンの糸のように柔らかく髪の形状になじみやすい物で出来ている物と、例えばグラスファイバーのように硬質の物で髪の形状を変化させるのに適した物で出来ている物がある。【００１８】図３は毛髪に似たウェーブ状の繊維状の物がすだれ状の毛束状に成った物であり、その繊維状の物は例えばグラスファイバーのように硬質の物で髪の形状を変化させるのに適した物で出来ている。【００１９】図１−ａ）パネル状に取った毛束の片面に図Ｂを直線状に沿わせた状態。
図１−ｂ）パネル状に取った毛束の片面に図Ｃをウェーブ状に沿わせた状態。
図１−ｃ）２枚の図Ｂを脱着装置で積重出来るよう装着し、毛髪を直線状に挟みこんだ状態。
図１−ｄ）２枚の図Ｃを脱着装置で積重出来るよう装着し毛髪をウェーブ状に挟みこんだ状態。
図１−ｅ）根本をリフトアップさせている状態。【００２０】図４は、図２を脱着部分のジョイントをもちいて装着させたものである。
【産業上の利用可能性】
【００２１】最近は美容の世界にも高温を扱う技術が増えてきて、髪の損傷が従来のものと違い髪のたんぱく質の熱変性にまで及ぶようになってきた。
その原因として、毛髪の適正な軟化を行わず熱によって髪を固めてしまう傾向があり１度たんぱく質の熱変性を起こした髪は薬液に対して正常な反応が出来なくなってしまうために他の薬液を使う技術を施術出来なくなってしまうという現象が起きてきた。【００２２】女性の多くは美しい髪を望むので、適正に軟化させる事で髪に必要以上の負荷を与えることなくパーマや矯正を行い美しい髪を守る事で、美容の可能性をより発展させる事が出来る。
【図面の簡単な説明】
【００２３】
【図１】本発明からなるヘアーの矯正またはウェーブをつける道具の実施形態図
【図２】直線的な繊維状のものをすだれ状の束状にしたものの平面図
【図３】ウェーブ状の繊維状のものをすだれ状の束状にしたものの平面図
【図４】脱着部分のジョイントを装着して積重させた状態の斜視図
【符号の説明】
【００２４】ａ    脱着装置
【図１】
2009022718.tif 000003
【図２】
2009022718.tif 000004
【図３】
2009022718.tif 000005
【図４】
2009022718.tif 000006